【手続補正書】
【提出日】平成20年9月5日(2008.9.5)
【手続補正１】
【補正対象書類名】明細書
【補正対象項目名】特許請求の範囲
【補正方法】変更
【補正の内容】
【特許請求の範囲】    【請求項１】  製造施設工程計画を実行する方法であって、前記製造施設は、サービスを提供するサービスプロバイダとサービスを要求するサービスリクエスタとを含む複数のリソースを備え、前記製造施設はまた、サービスリクエスタをサービスプロバイダと突き合わせる１つまたは複数のディスパッチステーションも実装し、  （１）前記工程計画をモデリングするステップであって、    （ａ）前記工程計画に必要なサービスのリスト、    （ｂ）前記リソースプロバイダが提供することができる前記各サービスと、前記各サービスを提供することができる条件とを識別するリソースプロバイダ情報、    （ｃ）前記１つまたは複数のディスパッチステーションのそれぞれに関連するサービスのリストを含むディスパッチステーション情報、および、    （ｄ）前記工程計画の実行を管理する実行規則のリスト、を生成することを含むステップと、  （２）前記工程計画に必要な前記サービスを実施することによって前記工程計画を実行するステップであって、    （ａ）前記リソースプロバイダ情報によって決定される、前記サービスプロバイダが現在提供することのできる各サービスを、対応するディスパッチステーションと関連付けるステップと、    （ｂ）前記サービスリクエスタによって要求される各サービスを、対応するディスパッチステーションと関連付けるステップと、    （ｃ）サービスを要求するサービスリクエスタを、同じサービスを提供することができるサービスプロバイダとグループ化することにより、各ディスパッチステーション内に合致したサービスリクエスタ／サービスプロバイダグループを形成するステップと、    （ｄ）前記実行規則に従って各サービスを実施するために、１つの合致したサービスリクエスタ／サービスプロバイダグループを識別するステップと、    （ｅ）前記１つの合致したサービスリクエスタ／サービスプロバイダグループによる前記実行規則の準拠を検証するステップと、    （ｆ）合致した各サービスリクエスタ／サービスプロバイダグループをディスパッチするステップとを含むステップを備えることを特徴とする方法。    【請求項２】  各ディスパッチステーションに関連するサービスの前記リストは、ユーザ定義されることを特徴とする請求項１に記載の方法。    【請求項３】  前記ステップ（２）は、ディスパッチングの後、（ｇ）合致したサービスリクエスタ／サービスプロバイダグループの各サービスを、対応するディスパッチステーションから関連付け解除するステップをさらに含むことを特徴とする請求項１に記載の方法。    【請求項４】  複数のサービスプロバイダと複数のサービスリクエスタを備える製造施設内のリソースを調整する方法であって、  （１）前記サービスプロバイダが現在提供することのできるサービスと、前記サービスリクエスタによって要求されるサービスとを含むサービスプロバイダ情報およびサービスリクエスタ情報を受信するステップと、  （２）前記サービスプロバイダが現在提供することのできる前記サービスと、前記サービスリクエスタによって要求される前記サービスとに従って、サービスリクエスタをサービスプロバイダと突き合わせ、１つまたは複数のサービスプロバイダ／サービスリクエスタグループを形成するステップと、  （３）選択したサービスプロバイダ／サービスリクエスタグループを識別するステップと、  （４）前記選択したサービスプロバイダ／サービスリクエスタグループの１つまたは複数の実行規則の準拠を検証するステップと、  （５）前記選択したサービスプロバイダ／サービスリクエスタグループが前記１つまたは複数の実行規則に準拠している場合、前記選択したサービスプロバイダ／サービスリクエスタグループに関するワークフローを立ち上げるステップとを含むことを特徴とする方法。    【請求項５】  前記選択したサービスプロバイダ／サービスリクエスタグループは、前記１つまたは複数の実行規則に従って前記１つまたは複数のサービスプロバイダ／サービスリクエスタグループをランク付けし、最高ランクのグループを自動的に選択することによって識別されることを特徴とする請求項４に記載の方法。    【請求項６】  前記選択したサービスプロバイダ／サービスリクエスタグループは、前記１つまたは複数の実行規則に従ってランク付けされた前記１つまたは複数のサービスプロバイダ／サービスリクエスタグループのリストからユーザが選択することを可能にすることによって識別されることを特徴とする請求項４に記載の方法。    【請求項７】  製造施設工程計画を実行する装置であって、前記製造施設は、サービスを提供するサービスプロバイダと、サービスを要求するサービスリクエスタとを含む複数のリソースを備え、前記製造施設はまた、サービスリクエスタをサービスプロバイダと突き合わせる１つまたは複数のディスパッチステーションも実装し、  前記工程計画に必要なサービスのリストと、前記リソースプロバイダが提供することのできる各サービスおよび各サービスを提供することができる条件を識別するリソースプロバイダ情報と、各ディスパッチステーションに関連するサービスのリストを含むディスパッチステーション情報と、前記工程計画の実行を管理する実行規則のリストとを生成することを含む、前記工程計画をモデリングする手段と、  前記工程計画に必要な各サービスを実施することによって前記工程計画を実行する手段であって、    前記リソースプロバイダ情報によって決定される、前記サービスプロバイダが現在提供することのできる各サービスを、対応するディスパッチステーションと関連付ける手段と、    前記サービスリクエスタによって要求される各サービスを、対応するディスパッチステーションと関連付ける手段と、    サービスを要求するサービスリクエスタを、同じサービスを提供することができるサービスプロバイダとグループ化することにより、各ディスパッチステーション内に合致したサービスリクエスタ／サービスプロバイダグループを形成する手段と、    前記実行規則に従って各サービスを実施するために、１つの合致したサービスリクエスタ／サービスプロバイダグループを識別する手段と、    前記１つの合致したサービスリクエスタ／サービスプロバイダグループによる前記実行規則の準拠を検証する手段と、    合致した各サービスリクエスタ／サービスプロバイダグループをディスパッチする手段とを含む手段とを備えていることを特徴とする装置。    【請求項８】  各ディスパッチステー��ョンに関連するサービスの前記リストは、ユーザ定義されることを特徴とする請求項７に記載の装置。    【請求項９】  ディスパッチングの後、合致したサービスリクエスタ／サービスプロバイダグループの各サービスを、対応するディスパッチステーションから関連付け解除する手段をさらに備えていることを特徴とする請求項７に記載の装置。    【請求項１０】  複数のサービスプロバイダと複数のサービスリクエスタを備える製造施設内のリソースを調整する装置であって、  前記サービスプロバイダが現在提供することのできるサービスと、前記サービスリクエスタによって要求されるサービスとを含むサービスプロバイダ情報およびサービスリクエスタ情報を受信する手段と、  前記サービスプロバイダが現在提供することのできる前記サービスと、前記サービスリクエスタによって要求される前記サービスとに従って、サービスリクエスタをサービスプロバイダと突き合わせ、１つまたは複数のサービスプロバイダ／サービスリクエスタグループを形成する手段と、  選択したサービスプロバイダ／サービスリクエスタグループを識別する手段と、  前記選択したサービスプロバイダ／サービスリクエスタグループの、１つまたは複数の実行規則の準拠を検証する手段と、  前記選択したサービスプロバイダ／サービスリクエスタグループが前記１つまたは複数の実行規則に準拠している場合、前記選択したサービスプロバイダ／サービスリクエスタグループに関するワークフローを立ち上げる手段とを備えていることを特徴とする装置。    【請求項１１】  前記識別する手段は、前記１つまたは複数の実行規則に従って前記１つまたは複数のサービスプロバイダ／サービスリクエスタグループをランク付けする手段と、最高ランクのグループを自動的に選択する手段とをさらに備えていることを特徴とする請求項１０に記載の装置。    【請求項１２】  前記識別する手段は、前記１つまたは複数の実行規則に従って、前記１つまたは複数のサービスプロバイダ／サービスリクエスタグループをランク付けする手段と、ランク付けされた前記１つまたは複数のサービスプロバイダ／サービスリクエスタグループのリストからユーザが選択することを可能にする手段とをさらに備えていることを特徴とする請求項１０に記載の装置。    【請求項１３】  コンピュータ可読媒体上に実施された、製造施設工程計画を実行するためのコンピュータプログラムであって、前記製造施設は、サービスを提供するサービスプロバイダと、サービスを要求するサービスリクエスタとを含む複数のリソースを備え、前記製造施設はまた、サービスリクエスタをサービスプロバイダと突き合わせる１つまたは複数のディスパッチステーションも実装し、  前記工程計画に必要なサービスのリストと、前記リソースプロバイダが提供することのできる各サービス、および各サービスを提供することができる条件を識別するリソースプロバイダ情報と、各ディスパッチステーションに関連するサービスのリストを含むディスパッチステーション情報と、前記工程計画の実行を管理する実行規則のリストとを生成することを含む、前記工程計画をモデリングするためのコンピュータ可読命令と、  前記工程計画に必要な各サービスを実施することによって前記工程計画を実行するためのコンピュータ可読命令であって、    前記リソースプロバイダ情報によって決定される、前記サービスプロバイダが現在提供することのできる各サービスを、対応するディスパッチステーションと関連付けるためのコンピュータ可読命令と、    前記サービスリクエスタによって要求される各サービスを、対応するディスパッチステーションと関連付けるためのコンピュータ可読命令と、    サービスを要求するサービスリクエスタを、同じサービスを提供することができるサービスプロバイダとグループ化することにより、各ディスパッチステーション内に合致したサービスリクエスタ／サービスプロバイダグループを形成するためのコンピュータ可読命令と、    前記実行規則に従って各サービスを実施するために、１つの合致したサービスリクエスタ／サービスプロバイダグループを識別するためのコンピュータ可読命令と、    前記１つの合致したサービスリクエスタ／サービスプロバイダグループによる前記実行規則の準拠を検証するためのコンピュータ可読命令と、    合致した各サービスリクエスタ／サービスプロバイダグループをディスパッチするためのコンピュータ可読命令とを含むコンピュータ可読命令とを含むことを特徴とするコンピュータプログラム。    【請求項１４】  各ディスパッチステーションに関連するサービスの前記リストは、ユーザ定義されることを特徴とする請求項１３に記載のコンピュータプログラム。    【請求項１５】  ディスパッチングの後、合致したサービスリクエスタ／サービスプロバイダグループの各サービスを、対応するディスパッチステーションから関連付け解除するためのコンピュータ可読命令をさらに含むことを特徴とする請求項１３に記載のコンピュータプログラム。